(57)【要約】【課題】印字用紙３をロール紙３Ａとして多数列に装填し、それぞれ移送路５に帯状に繰り出して印字可能とし、簡単な構成で操作性に優れ、融通性のある操作を実現することができる多列印字用紙用プリンターおよびその印字用紙繰出し機構を提供すること。【解決手段】ロール紙３Ａそれぞれを装填する装填軸１２と、ロール芯１３を固定するロール芯固定具１４と、ロール芯固定具１４と装填軸１２との間に設けた電磁クラッチ１５と、装填軸１２を回転駆動する繰出し用駆動モーター１６と、電磁クラッチ１５のいずれかを選択して動作させることにより、多列の印字用紙３のいずれかにおけるロール芯１３を装填軸１２に一体化して印字用紙３のいずれかを選択的に繰り出し可能とする制御部１１と、装填軸１２におけるロール状から帯状に選択的に繰り出された印字用紙３を移送可能とする選択移送部１７と、を有することを特徴とする。【選択図】図２
2010228325.tif 000002
【特許請求の範囲】
【請求項１】
帯状の印字用紙をそれぞれのロール芯にロール状に巻いたロール紙として同一軸上に多列に装填し、これらの印字用紙を移送路にそれぞれ繰り出して印字可能とする多列印字用紙用プリンターの印字用紙繰出し機構であって、
前記ロール紙それぞれを前記同一軸上に装填可能とする装填軸と、
この装填軸に設けるとともに、前記ロール芯それぞれを固定するロール芯固定具と、
それぞれのロール芯固定具と前記装填軸との間にそれぞれ設けた電磁クラッチと、
前記装填軸を回転駆動する繰出し用駆動モーターと、
前記電磁クラッチのいずれかを選択して動作させることにより、前記多列の前記印字用紙のいずれかにおける前記ロール芯を前記装填軸に一体化して前記繰出し用駆動モーターの駆動力を前記ロール芯に伝達し、前記印字用紙のいずれかを選択的に繰り出し可能とする制御部と、
前記装填軸における前記ロール状から帯状に選択的に繰り出された前記印字用紙を移送可能とする選択移送部と、
を有することを特徴とする多列印字用紙用プリンターの印字用紙繰出し機構。
【請求項２】
前記選択移送部は、
前記多列の前記印字用紙に対向する繰出し用ローラーと、
この繰出し用ローラーを回転駆動する移送用駆動モーターと、
この繰出し用ローラーに接離するとともに、前記それぞれの多列の前記印字用紙を選択的にこの繰出し用ローラーに押し付けるそれぞれの従動ローラーと、を有することを特徴とする請求項１記載の多列印字用紙用プリンターの印字用紙繰出し機構。
【請求項３】
前記制御部による前記印字用紙のいずれかの選択に応じて、前記従動ローラーそれぞれを前記繰出し用ローラー方向に押し付けるソレノイドをそれぞれ設けたことを特徴とする請求項２記載の多列印字用紙用プリンターの印字用紙繰出し機構。
【請求項４】
帯状の印字用紙をそれぞれのロール芯にロール状に巻いたロール紙として同一軸上に多列に装填し、これらの印字用紙を移送路にそれぞれ繰り出して印字可能とする多列印字用紙用プリンターであって、
前記ロール紙それぞれを前記同一軸上に装填可能とする装填軸と、
この装填軸に設けるとともに、前記ロール芯それぞれを固定するロール芯固定具と、
それぞれのロール芯固定具と前記装填軸との間にそれぞれ設けた電磁クラッチと、
前記装填軸を回転駆動する繰出し用駆動モーターと、
前記電磁クラッチのいずれかを選択して動作させることにより、前記多列の前記印字用紙のいずれかにおける前記ロール芯を前記装填軸に一体化して前記繰出し用駆動モーターの駆動力を前記ロール芯に伝達し、前記印字用紙のいずれかを選択的に繰り出し可能とする制御部と、
前記装填軸における前記ロール状から帯状に選択的に繰り出された前記印字用紙を移送可能とする選択移送部と、
この選択移送部の下流側に設けるとともに、前記選択された印字用紙に所定内容の印字を行う印字部と、
を有することを特徴とする多列印字用紙用プリンター。
【発明の詳細な説明】
【技術分野】
【０００１】
本発明は多列印字用紙用プリンターおよびその印字用紙繰出し機構にかかるもので、とくに同一幅あるいは異なる幅の印字用紙を同一軸上に一緒に（多列に）装填し、それぞれ移送路に繰り出して印字可能な多列印字用紙用プリンターおよびその印字用紙繰出し機構に関するものである。
【背景技術】
【０００２】
従来から、同一幅あるいは異なる幅の印字用紙をロール紙として多数列に装填する構成のプリンターには、それぞれのロール紙ごとに保持機構および繰出し機構が必要であり、構造が複雑化かつ大型化しやすいという問題がある。
【０００３】
また、多数列に装填したロール紙を同時に繰り出すか、あるいは単一の列のみのロール紙を繰り出すかの選択操作が困難で、融通性のある操作を実現しにくいという問題がある。
【０００４】
さらに、近年、多量の印字用紙を装填して印字発行の効率化を図ろうとする場合には、一度に装填するロール紙自体が大型化かつ重量化するため、その繰出し操作のための繰出し機構に何らかの駆動部分を必要とすることになるが、簡単な構造の駆動部分が要請されている。
【先行技術文献】
【特許文献】
【０００５】
【特許文献１】特開平２−２１７２７４号公報
【発明の概要】
【発明が解決しようとする課題】
【０００６】
本発明は以上のような諸問題にかんがみなされたもので、同一幅あるいは異なる幅の印字用紙をロール紙として多数列に装填し、それぞれ移送路に繰り出して印字可能な多列印字用紙用プリンターおよびその印字用紙繰出し機構を提供することを課題とする。
【０００７】
また本発明は、多列のロール紙ごとに繰出し機構を設けることなく、簡単な構成で操作性に優れ、ロール状の印字用紙を移送路に帯状に繰り出し可能とした多列印字用紙用プリンターおよびその印字用紙繰出し機構を提供することを課題とする。
【０００８】
また本発明は、多数列に装填したロール紙を同時に繰り出すか、あるいは単一の列のみのロール紙を繰り出すかの選択操作が可能で、融通性のある操作を実現することができる多列印字用紙用プリンターおよびその印字用紙繰出し機構を提供することを課題とする。
【課題を解決するための手段】
【０００９】
すなわち本発明は、多列のロール紙ごとに印字用紙を繰り出し可能とする駆動ユニットに電磁クラッチを設けることに着目したもので、第一の発明は、帯状の印字用紙をそれぞれのロール芯にロール状に巻いたロール紙として同一軸上に多列に装填し、これらの印字用紙を移送路にそれぞれ繰り出して印字可能とする多列印字用紙用プリンターの印字用紙繰出し機構であって、上記ロール紙それぞれを上記同一軸上に装填可能とする装填軸と、この装填軸に設けるとともに、上記ロール芯それぞれを固定するロール芯固定具と、それぞれのロール芯固定具と上記装填軸との間にそれぞれ設けた電磁クラッチと、上記装填軸を回転駆動する繰出し用駆動モーターと、上記電磁クラッチのいずれかを選択して動作させることにより、上記多列の上記印字用紙のいずれかにおける上記ロール芯を上記装填軸に一体化して上記繰出し用駆動モーターの駆動力を上記ロール芯に伝達し、上記印字用紙のいずれかを選択的に繰り出し可能とする制御部と、上記装填軸における上記ロール状から帯状に選択的に繰り出された上記印字用紙を移送可能とする選択移送部と、を有することを特徴とする多列印字用紙用プリンターの印字用紙繰出し機構である。
【００１０】
第二の発明は、帯の印字用紙をそれぞれのロール芯にロール状に巻いたロール紙として同一軸上に多列に装填し、これらの印字用紙を移送路にそれぞれ繰り出して印字可能とする多列印字用紙用プリンターであって、上記ロール紙それぞれを上記同一軸上に装填可能とする装填軸と、この装填軸に設けるとともに、上記ロール芯それぞれを固定するロール芯固定具と、それぞれのロール芯固定具と上記装填軸との間にそれぞれ設けた電磁クラッチと、上記装填軸を回転駆動する繰出し用駆動モーターと、上記電磁クラッチのいずれかを選択して動作させることにより、上記多列の上記印字用紙のいずれかにおける上記ロール芯を上記装填軸に一体化して上記繰出し用駆動モーターの駆動力を上記ロール芯に伝達し、上記印字用紙のいずれかを選択的に繰り出し可能とする制御部と、上記装填軸における上記ロール状から帯状に選択的に繰り出された上記印字用紙を移送可能とする選択移送部と、この選択移送部の下流側に設けるとともに、上記選択された印字用紙に所定内容の印字を行う印字部と、を有することを特徴とする多列印字用紙用プリンターである。
【００１１】
上記選択移送部は、上記多列の上記印字用紙に対向する繰出し用ローラーと、この繰出し用ローラーを回転駆動する移送用駆動モーターと、この繰出し用ローラーに接離するとともに、上記それぞれの多列の上記印字用紙を選択的にこの繰出し用ローラーに押し付けるそれぞれの従動ローラーと、を有することができる。
【００１２】
上記制御部による上記印字用紙のいずれかの選択に応じて、上記従動ローラーそれぞれを上記繰出し用ローラー方向に押し付けるソレノイドをそれぞれ設けることができる。
【００１３】
上記印字用紙の幅としては、それぞれが同一幅の場合、あるいは異なる幅の場合ともに本発明を適用可能である。
また、上記印字部の上流側あるいは下流側に切断部を設けて、上記印字用紙を所定のピッチで切断して単葉の印字用紙とすることができる。
【発明の効果】
【００１４】
本発明による多列印字用紙用プリンターおよびその印字用紙繰出し機構においては、多列のロール紙ごとに印字用紙を繰り出し可能とする電磁クラッチを印字用紙の装填軸に設けたので、多列状態の印字用紙のいずれかを選択し、選択した印字用紙のロール紙部分における電磁クラッチを動作させることにより、任意の列の印字用紙を積極的に装填軸から回転駆動して帯状に繰り出すことができる。
【００１５】
とくに第一発明の多列印字用紙用プリンターの印字用紙繰出し機構によれば、装填軸に設けた電磁クラッチのいずれかを選択して動作させることにより、多列の印字用紙のいずれかにおけるロール芯を装填軸に一体化して繰出し用駆動モーターの駆動力をロール芯に伝達するようにしたので、印字用紙のいずれかを選択的に繰り出し可能とすることができる。
【００１６】
とくに第二の発明の多列印字用紙用プリンターによれば、装填軸におけるロール状から帯状に選択的に繰り出された印字用紙を移送可能とする選択移送部の下流側において印字部を設けたので、選択された印字用紙に所定内容の印字を行うことができる。
【図面の簡単な説明】
【００１７】
【図１】本発明の実施例による多列印字用紙用プリンター１の概略側面図である。
【図２】同、多列印字用紙用プリンター１の概略平面図である。
【図３】同、印字用紙繰出し機構４におけるロール芯固定具１４および電磁クラッチ１５部分の要部斜視図である。
【発明を実施するための形態】
【００１８】
本発明は、多列に装填された各印字用紙のロール紙のうち、電磁クラッチの選択動作により任意の印字用紙を移送路に繰り出すことができる多列印字用紙用プリンターおよびその印字用紙繰出し機構を実現した。
【実施例】
【００１９】
つぎに本発明の実施例による多列印字用紙用プリンター１およびその印字用紙繰出し機構３を図１ないし図３にもとづき説明する。
図１は、多列印字用紙用プリンター１の概略側面図、図２は、同、多列印字用紙用プリンター１の概略平面図であって、多列印字用紙用プリンター１は、左右一対のプリンターハウジング２（図２）と、印字用紙３の印字用紙繰出し機構４と、移送路５と、位置検出センサー６と、切断部７と、一対の受渡しローラー８と、印字部９と、一対の排出ローラー１０と、制御部１１と、を有する。
【００２０】
印字用紙３は、ラベル用紙あるいはタグ用紙など任意の構成の帯状部材であって、印字用紙繰出し機構４の装填軸１２にそれぞれのロール芯１３にロール状に巻いたロール紙３Ａとして同一軸（装填軸１２）上に多列に装填し、印字用紙繰出し機構４によりそれぞれの印字用紙３を移送路５に選択的に繰り出して切断および印字可能とする
【００２１】
印字用紙繰出し機構４は、上記装填軸１２と、一対のロール芯固定具１４と、電磁クラッチ１５と、繰出し用駆動モーター１６と、選択移送部１７と、上記制御部１１と、を有する。
【００２２】
装填軸１２は、左右一対のプリンターハウジング２の間に繰出し用駆動モーター１６により回転可能にこれを取り付けているとともに、ロール芯固定具１４および電磁クラッチ１５により、ロール紙３Ａそれぞれを同一軸上に装填可能としている。
【００２３】
一対のロール芯固定具１４は、それぞれの挿通孔１４Ａ（図３）に装填軸１２を挿通して装填軸１２にこれを設ける。
装填軸１２に印字用紙３（ロール紙３Ａ）を装填するには、装填軸１２の奥側（図２の右側）から、ロール紙３Ａを間に挟んだ状態の電磁クラッチ１５およびロール芯固定具１４を順次挿通し、任意の固定部材（図示せず）により固定して、ロール紙３Ａそれぞれを任意の位置に調節設定可能とする。
【００２４】
電磁クラッチ１５は、一方のロール芯固定具１４に一体的にこれを取り付け、装填軸１２の回転駆動力をオンオフ可能にロール芯固定具１４に伝達する。
具体的には、電磁クラッチ１５のステーター１５Ａを装填軸１２に固定して取り付け、そのローター１５Ｂを一方のロール芯固定具１４に固定して取り付けてある。制御部１１からの信号により電磁クラッチ１５に通電すると、ステーター１５Ａとローター１５Ｂとが磁力により一体化し、繰出し用駆動モーター１６の回転駆動力をロール芯１３に選択的に伝達し、選択したロール紙３Ａを繰出し方向に回転することができる。
【００２５】
図３は、印字用紙繰出し機構４におけるロール芯固定具１４および電磁クラッチ１５部分の要部斜視図であって、装填軸１２に沿って一対のロール芯固定具１４および電磁クラッチ１５によりロール紙３Ａの両側から挟んで、ロール芯固定具１４のテーパー状の傾斜係合部１４Ｂをロール芯１３内に挿入固定する。
なお、テーパー状の傾斜係合部１４Ｂには、その円周方向に複数個の突条部１４Ｃを形成してロール芯１３の内壁部とかみ合わせ、ロール芯１３とロール芯固定具１４（テーパー状の傾斜係合部１４Ｂ）との一体化を確実にする。
【００２６】
制御部１１は、電磁クラッチ１５のいずれかを選択して動作させることにより、多列の印字用紙３のいずれかにおけるロール芯１３を装填軸１２に一体化して繰出し用駆動モーター１６の駆動力をロール芯１３に伝達し、印字用紙３のいずれかを移送路５に向かって選択的に繰り出し可能とする。
【００２７】
選択移送部１７は、装填軸１２におけるロール状から帯状に選択的に繰り出された印字用紙３をさらに下流側に向かって移送可能とする。
すなわち、選択移送部１７は、繰出し用ローラー１８と、移送用駆動モーター１９と、従動ローラー２０と、ソレノイド２１と、を有する。
【００２８】
繰出し用ローラー１８は、左右一対のプリンターハウジング２の間に移送用駆動モーター１９により回転可能にこれを取り付けて、多列の印字用紙３それぞれに対向している。
【００２９】
移送用駆動モーター１９は、装填軸１２と同期して繰出し用ローラー１８を回転駆動する。なお、移送用駆動モーター１９を設けずに、装填軸１２における単一の繰出し用駆動モーター１６により繰出し用ローラー１８を同時に回転駆動するように構成することもできる。
【００３０】
従動ローラー２０は、繰出し用ローラー１８に接離して、それぞれの印字用紙３を選択的に繰出し用ローラー１８に押し付けることにより、繰出し用ローラー１８と従動ローラー２０との間で印字用紙３を挟持し、繰出し用ローラー１８の回転により印字用紙３を下流側の切断部７に移送可能とする。
【００３１】
ソレノイド２１は、多列状の印字用紙３ないしその電磁クラッチ１５の、制御部１１によるいずれかの選択に応じて、従動ローラー２０の支持ブラケット２２を繰出し用ローラー１８方向に押し付け、従動ローラー２０と繰出し用ローラー１８とによる印字用紙３の移送を可能とする。
【００３２】
前記切断部７は、任意の構造を有し、所定のピッチで印字用紙３を切断し、単葉の印字用紙３とする。
【００３３】
前記一対の受渡しローラー８は、切断部７において切断された単葉の印字用紙３を印字部９に受け渡す。
【００３４】
前記印字部９は、選択移送部１７の下流側に設けるとともに、選択された印字用紙３に任意の印字方式により所定内容の印字を行う。
【００３５】
前記一対の排出ローラー１０は、印字部９において印字された単葉の印字用紙３を多列印字用紙用プリンター１の外部に排出発行する。
【００３６】
こうした構成の多列印字用紙用プリンター１および印字用紙繰出し機構４において、印字用紙繰出し機構４の装填軸１２にロール芯固定具１４および電磁クラッチ１５を取り付け、その間に印字用紙３とロール紙３Ａとして挟み、それぞれの印字用紙３の幅に合わせた位置でロール芯固定具１４を固定する。
装填軸１２のロール状態から印字用紙３を帯状に引き出し、選択移送部１７の繰出し用ローラー１８および従動ローラー２０の間に位置させて電源（図示せず）を投入する。
【００３７】
この装填状態で、操作者は、多列の印字用紙３のうち、どの印字用紙３に印字するかを選択し、制御部１１からの指令によりこの印字用紙３が装填されているロール芯固定具１４および電磁クラッチ１５が決定される。
すなわち、制御部１１は、装填軸１２上のいずれかの印字用紙３を選択し、その電磁クラッチ１５に通電する。
この通電によって繰出し用駆動モーター１６の回転駆動力は、装填軸１２、電磁クラッチ１５およびロール芯固定具１４を介してロール紙３Ａに伝達され、ロール紙３Ａは所定の回転速度で回転し、印字用紙３をロール紙３Ａから帯状に選択移送部１７方向に繰り出す。
【００３８】
選択移送部１７の移送用駆動モーター１９は、移送用駆動モーター１９と同期して回転するとともに、ソレノイド２１が選択された印字用紙３の列の従動ローラー２０を繰出し用ローラー１８方向に押し付けるので、従動ローラー２０と繰出し用ローラー１８との間に印字用紙３が挟持された状態で印字用紙３が移送される。
したがって印字用紙３は、切断部７において切断され、一対の受渡しローラー８により印字部９に受け渡され、印字部９において印字が行われて、一対の排出ローラー１０により単葉の印字された印字用紙３として発行される。
【００３９】
かくして、多列に装填されている任意の印字用紙３を選択し、電磁クラッチ１５によりこの印字用紙３のみを選択して繰り出し可能としたので、プリンターハウジング２の内部におけるロール紙３Ａの内部収容空間を有効に活用して多列の印字用紙３を装填可能とし、ロール紙３Ａが大型化しても、適正な繰出し操作を行うことができる。
もちろん、異なる列の印字用紙３を同時に繰り出して、移送、切断の印字を行うように融通性をもって制御することもできる。
【符号の説明】
【００４０】
１  多列印字用紙用プリンター（実施例、図１、図２）
２  左右一対のプリンターハウジング
３  印字用紙
３Ａ  印字用紙３のロール紙
４  多列印字用紙用プリンター１の印字用紙繰出し機構（実施例、図１、図２）
５  移送路
６  位置検出センサー
７  切断部
８  一対の受渡しローラー
９  印字部
１０  一対の排出ローラー
１１  制御部
１２  装填軸（図２）
１３  ロール芯
１４  ロール芯固定具
１４Ａ  ロール芯固定具１４の挿通孔（図３）
１４Ｂ  ロール芯固定具１４のテーパー状の傾斜係合部
１４Ｃ  テーパー状の傾斜係合部１４Ｂの突条部
１５  電磁クラッチ
１５Ａ  電磁クラッチ１５のステーター
１５Ｂ  電磁クラッチ１５のローター
１６  繰出し用駆動モーター
１７  選択移送部
１８  繰出し用ローラー
１９  移送用駆動モーター
２０  従動ローラー
２１  ソレノイド
２２  従動ローラー２０の支持ブラケット
【図１】
2010228325.tif 000003
【図２】
2010228325.tif 000004
【図３】
2010228325.tif 000005